(57)【要約】【課題】手を乾燥させる際の高圧空気流発生装置の吸込み騒音を低減し、設置場所が床や洗面台の近く、あるいは台上であっても設置が可能で、埃や水滴などを吸い込み難くすることにより安全で衛生的な手乾燥装置を得ること。【解決手段】手を出し入れできる広さを備えた凹状の処理空間からなる手挿入部４と、その手挿入部４に向けて高圧空気流発生装置３が設けられ、処理空間の上部から下方に向かって高速空気流を噴出させて、手に付着した水分を処理空間内に吹飛ばして手を乾燥させる。装置本体下端には高圧空気流発生装置３の空気取入口９が設けられ、その空気取入口９には、吸気を濾過するエアフィルタ１１が矩形状の箱型の一部の面に配置されたエアフィルタユニット１０が配置されていて、エアフィルタユニット１０の本体背面と本体側面の少なくとも一方の面にエアフィルタ１１が設けられ、その他の面は壁で構成されている。【選択図】図１
2010279436.tif 000002
【特許請求の範囲】
【請求項１】
手を出し入れできる広さを備えた凹状の処理空間からなる手挿入部と、
該手挿入部に向けて設けられ、前記処理空間の上部から下方に向かって高速空気流を噴出させ、差し出された手に付着した水分を高速空気流の運動エネルギーにより前記処理空間内に吹飛ばして手を乾燥させる高圧空気流発生装置と、
を備えた手乾燥装置であって、
装置本体下端には前記高圧空気流発生装置の空気吸い込み口が設けられ、該空気吸い込み口を塞ぐと共に、空気吸い込み口からの吸気を濾過するエアフィルタが矩形状の箱型の一部の面に配置されたエアフィルタユニットを備え、
前記エアフィルタユニットの本体背面と本体側面の少なくとも一方の面に前記エアフィルタを設け、それ以外の面を壁で構成したことを特徴とする手乾燥装置。
【請求項２】
前記エアフィルタユニットは、その底面裏側を略水平の平面形状としたことを特徴とする請求項１に記載の手乾燥装置。
【請求項３】
前記エアフィルタユニットは、その底面裏側の面積を広げた台座部をさらに備え、
装置本体を設置面上に配置する際に、前記エアフィルタユニットの底面の台座部が設置面に接した状態で装置本体を支持し、設置を行うことを特徴とする請求項２に記載の手乾燥装置。
【発明の詳細な説明】
【技術分野】
【０００１】
本発明は、手乾燥装置に関し、特に洗浄後の濡れた手を衛生的に乾燥させる手乾燥装置に関する。
【背景技術】
【０００２】
洗浄後の濡れた手を乾燥させる装置として、高速空気流により手に付着した水滴を吹飛ばして、手を乾燥させる手乾燥装置がある。この手乾燥装置は、ケーシングに凹状形態の処理空間としての手挿入部が設けられ、該手挿入部にはエアーノズルが配設されている。このエアーノズルには、高圧空気流発生装置に接続されたエアダクトが繋がれていて、手挿入部内に高速空気流を噴出するようになっている。そして、手の乾燥処理に伴い、手挿入部で吹き飛ばされた水は、手挿入部の底部に設けられた排水口から手挿入部の下方に備えられたドレン容器に滴下して、受容されるように構成されている。なお、この種の従来技術としては、特許文献１に開示されているものがある。
【先行技術文献】
【特許文献】
【０００３】
【特許文献１】特開２００５−１６０８３９号公報
【発明の概要】
【発明が解決しようとする課題】
【０００４】
上記特許文献１にあっては、手乾燥装置本体底面の下方に開口した空気取入口に平面形状のエアフィルタが備えられ、これによって前記高圧空気流発生装置への埃等の浸入を防止すると共に、手から飛散した水滴の吸い込みも防止している。しかしながら、前記エアフィルタの下方は、開放された空間となっているため、前記高圧空気流発生装置による吸込みの騒音が直接正面の使用者側に届き易くなり、使用者がその騒音を不快と感じる頻度が高くなるという問題があった。
【０００５】
また、上記特許文献１の手乾燥装置にあっては、本体ケーシング底面の下方に開口した空気取入口にエアフィルタを備えているため、本体ケーシングを床や洗面台の近くに設置する場合、前記エアフィルタと床や洗面台との隙間が狭いと、エアフィルタの吸気によって床や洗面台の水滴を吸い込む可能性があることから、機器の故障やカビ等の繁殖により悪臭が発生するという問題があった。
【０００６】
さらに、上記特許文献１の手乾燥装置にあっては、本体ケーシング底面の下方に開口した空気取入口にエアフィルタを備えているため、トイレ等の洗面台上に本体ケーシングを置いて設置しようとすると、吸気部であるエアフィルタを塞ぐことになる。これによって、前記高圧空気流発生装置に十分な空気が送られなくなると、手を乾燥させる際の送風性能が低下するだけでなく、前記高圧空気流発生装置に負荷がかかって故障の原因になるという問題があった。
【０００７】
本発明は、上記に鑑みてなされたものであって、手を乾燥させる際の高圧空気流発生装置の吸込み騒音を低減して使用感を向上させると共に、設置場所が床や洗面台の近くや台上であっても設置が可能で、埃や水滴などを吸い込み難くすることにより安全で衛生的な手乾燥装置を得ることを目的とする。
【課題を解決するための手段】
【０００８】
上述した課題を解決し、目的を達成するために、本発明は、手を出し入れできる広さを備えた凹状の処理空間からなる手挿入部と、該手挿入部に向けて設けられ、前記処理空間の上部から下方に向かって高速空気流を噴出させ、差し出された手に付着した水分を高速空気流の運動エネルギーにより前記処理空間内に吹飛ばして手を乾燥させる高圧空気流発生装置と、を備えた手乾燥装置であって、装置本体下端には前記高圧空気流発生装置の空気吸い込み口が設けられ、該空気吸い込み口を塞ぐと共に、空気吸い込み口からの吸気を濾過するエアフィルタが矩形状の箱型の一部の面に配置されたエアフィルタユニットを備え、前記エアフィルタユニットの本体背面と本体側面の少なくとも一方の面に前記エアフィルタを設け、それ以外の面を壁で構成したことを特徴とする。
【発明の効果】
【０００９】
本発明によれば、装置本体の下端に高圧空気流発生装置の空気吸い込み口が設けられ、その空気吸い込み口を塞いで、吸気を濾過するエアフィルタが矩形状の箱型からなるエアフィルタユニットの本体背面と本体側面の少なくとも一方の面に設けられ、それ以外の面を壁で構成しているため、手を乾燥させる際の高圧空気流発生装置の吸込み騒音が低減して使用感が向上し、装置本体を床や洗面台の近く、あるいは台上に設置したとしても埃や水滴などが吸い込み難く、安全で衛生的な手乾燥装置とすることができるという効果を奏する。特に、エアフィルタをエアフィルタユニットの本体背面と両側面に設けることにより、エアフィルタ面積が拡大し、大幅な騒音の低減が可能となる。
【図面の簡単な説明】
【００１０】
【図１】図１は、本発明の実施の形態１にかかる手乾燥装置の側面断面図である。
【図２】図２は、エアフィルタユニットを装着した図１の手乾燥装置を斜め下から見た斜視図である。
【図３】図３は、本発明の実施の形態１にかかる手乾燥装置の本体背面側にエアフィルタを設けたエアフィルタユニットを示す斜視図である。
【図４】図４は、本発明の実施の形態１にかかる手乾燥装置の本体背面側と本体側面側の両方にエアフィルタを設けたエアフィルタユニットを示す斜視図である。
【図５】図５は、本発明の実施の形態１にかかる手乾燥装置の本体側面側にエアフィルタを設けたエアフィルタユニットを示す斜視図である。
【図６】図６は、装置本体へエアフィルタユニットを抜き差しする場合の状態を説明する手乾燥装置を斜め下から見た斜視図である。
【図７】図７は、本発明の実施の形態２にかかる手乾燥装置の側面断面図である。
【発明を実施するための形態】
【００１１】
以下に、本発明にかかる手乾燥装置の実施の形態を図面に基づいて詳細に説明する。なお、この実施の形態によりこの発明が限定されるものではない。
【００１２】
実施の形態１．
図１は、本発明の実施の形態１にかかる手乾燥装置の側面断面図である。図１に示すように、実施の形態１にかかる手乾燥装置１は、図の左側の正面に向かって手挿入口を有する外郭をなす本体ケーシング２内に、高圧空気流発生装置３が組み込まれている。この高圧空気流発生装置３で発生した高圧空気は、手挿入口の近傍に設けられたエアーノズル３ａに送られ、手挿入口に続く処理空間としての手挿入部４内で、挿入された手に付着した水分を吹き飛ばす手乾燥に関する作動気流としての高速の気流を形成するものである。本体ケーシング２は、背面側外郭をなすベース２ａと、正面側外郭をなす正面パネル２ｂとから構成されている。
【００１３】
手挿入部４は、本体ケーシング２の正面下部に正面および両側面が開放され、手の挿抜が前後左右に可能な開放シンク状の凹状空間として形成されている。該手挿入部４の下部を形成する水受け部５とその奥側には、その端緑部に曲面構成の立ち上がりによる防壁構造が設けられ、側方や前方への水の飛散を防止している。水受け部５の底部は、正面方向（図１の左側方向）に向かって下傾していて、その傾斜下端には排水口６が設けられている。
【００１４】
さらに、水受け部５の下方には、排水口６から滴下する水を貯溜する開放容器構造のドレン容器７が前後方向（図１の左右方向：矢印Ａ方向）への抜き差しにより着脱可能に設けられている。また、ドレン容器７には、取外し可能な蓋が設けられている。なお、ドレン容器７と蓋とは、ここでは耐薬品性のあるＡＢＳ樹脂で作られていて、中性洗剤およびアルコール等を使って洗浄し清掃することができる。また、手挿入部４の表面には、シリコン系もしくはフッ素系等の撥水性コーティング、酸化チタン等の親水性を有するコーティング、あるいは抗菌剤を含浸していて、表面への汚れの付着の軽減や細菌の繁殖の低減を図っている。
【００１５】
高圧空気流発生装置３、ここではＤＣブラシレスモータ（整流子モータまたは誘導電動機であっても良い）と、これを駆動させる駆動回路と、ＤＣブラシレスモータによって回転するターボファンとにより構成されており、この実施の形態１では本体ケーシング２の手挿入部４の直上に配置され、吸気側がベース２ａ側に取り付けられている。この高圧空気流発生装置３の吸気側は、本体ケーシング２の背面側に手挿入部４の奥側背面に近接して縦方向に設けられており、下端が開放された吸気通路８に臨んでいて、吸気通路８の下端の空気吸い込み口としての空気取入口９に対して、前後方向（図１の左右方向：矢印Ａ方向）の抜き差しによって着脱可能なエアフィルタユニット１０が設けられている。このエアフィルタユニット１０の背面または側面は、エアフィルタ１１で形成されているが、それ以外の面（正面、底面等）は壁で構成されている。このように、高圧空気流発生装置３は、このエアフィルタユニット１０のエアフィルタ１１を介して空気を吸い込むように構成されている。
【００１６】
図２は、エアフィルタユニットを装着した図１の手乾燥装置を斜め下から見た斜視図である。図２に示すように、手乾燥装置１の下端には、ドレン容器７とエアフィルタユニット１０が設けられており、エアフィルタユニット１０の背面がエアフィルタ１１で形成されていることがわかる。
【００１７】
図３は、本発明の実施の形態１にかかる手乾燥装置の本体背面側にエアフィルタを設けたエアフィルタユニットを示す斜視図である。図３に示すエアフィルタユニット１０は、正面方向（図３の矢印Ｂ方向）にそれを抜き差しする際に指で摘むことのできる板状のつまみが設けられている。また、矩形状の箱型（直方体形状）のうち、背面のみがエアフィルタ１１ａで構成されており、それ以外の本体正面、底面、および両側面は壁で構成されている。このため、図２の斜視図に示すように、図３のエアフィルタユニット１０が本体ケーシング２に装着されている場合は、空気がエアフィルタ１１を通過し、エアフィルタユニット１０内の上面開放部を通って、図１に示す空気取入口９から吸気通路８を通り、高圧空気流発生装置３に吸気される。これにより、吸込みによる騒音は本体背面側へと放たれることになるため、手乾燥装置１の使用者が立つ正面側に届き難くなり、使用者の不快感を軽減することができる。また、エアフィルタユニット１０内には、吸込みによる騒音をさらに低減するために吸音材を貼ってもよい。さらに、エアフィルタユニット１０の外郭部を防音性の高い金属性とすることにより、騒音低減をさらに高めることができる。
【００１８】
また、図３に示すようなエアフィルタユニット１０の構造を採用することにより、図１に示す手乾燥装置１の本体ケーシング２を、床に近い場所や洗面台の上に設置するなど、エアフィルタ１１と床や洗面台との隙間が狭い場合であっても、吸込み方向を水平方向とすることで、床や洗面台に面したエアフィルタユニット１０の底面側から吸気しない構造とすることができる。これにより、床や洗面台の水滴や埃を吸込むことが無くなり、安全で衛生的な手乾燥装置１を得ることができる。
【００１９】
さらに、図３に示すエアフィルタユニット１０の背面に設けられたエアフィルタ１１ａは、図では詳細に示していないが、樹脂製または金属製のフィルタが取り付けられている。また、エアフィルタ１１ａの種類としては、ＨＥＰＡフィルタ、あるいは抗菌フィルタなどを好適に用いることができる。また、エアフィルタユニット１０の底面表側は、略水平か、背面のエアフィルタ１１ａに向うに従って下方に傾斜した平面形状となっている。このため、エアフィルタユニット１０内に万一水滴が入った場合でも、エアフィルタユニット１１内に留まり難い構造を採用している。
【００２０】
図４は、本発明の実施の形態１にかかる手乾燥装置の本体背面側と本体側面側の両方にエアフィルタを設けたエアフィルタユニットを示す斜視図である。図４のエアフィルタユニット１０の構造は、図３と異なり、本体背面のエアフィルタ１１ａと両側面のエアフィルタ１１ｂとを設けることによって、吸込み面積を拡大している点に特徴がある。このような構造を採用することにより、図３よりも図４に示すエアフィルタユニットの高さを小さくしたとしても、十分な量の空気を吸込むことができるため、よりコンパクトなエアフィルタユニット１０とすることができる。また、高さ方向を小さくすることにより、図１に示す本体ケーシング２からの突出量が少なくできるので、一体感のあるスマートな意匠効果が得られる。その上、吸込み面積の拡大によって、吸込み風速が抑えられることから、吸込み騒音を一層低減することができる。
【００２１】
図５は、本発明の実施の形態１にかかる手乾燥装置の本体側面側にエアフィルタを設けたエアフィルタユニットを示す斜視図である。図５のエアフィルタユニット１０の構造は、図３とは逆に本体背面側を壁とし、両側面にエアフィルタ１１ｂを設けることによって、背面側から吸気できない設置状況であっても、手乾燥装置１の使用者が立つ正面側に直接騒音が届き難い側面からの吸気口を確保する点に特徴がある。このような構造を採用することにより、手乾燥装置１の本体ケーシング２を壁に接した状態で、床や洗面台上に設置するといったように、背面側からの吸気が確保し難い設置場所であっても、両側面のエアフィルタ１１ｂからの吸気を確保することができる。また、使用者が立つ正面に直接届き難い側面からの吸気音であるため、使用者の不快感を軽減することができる。
【００２２】
図６は、装置本体へエアフィルタユニットを抜き差しする場合の状態を説明する手乾燥装置を斜め下から見た斜視図である。図６の斜視図に示すように、エアフィルタユニット１０は、本体ケーシング２の空気取入口９に対して、図中の矢印Ａ方向にスライドさせることにより、装着と取り外しを行うことができる。このエアフィルタユニット１０の抜き差し方向（矢印Ａ方向）は、ドレン容器７の抜き差し方向と同じであり、本体正面側から引き抜くことができるので、ドレン容器７とエアフィルタユニット１０の清掃作業がし易く、作業者の負担を軽減することができる。
【００２３】
このように、本実施の形態１にかかる手乾燥装置によれば、装置本体下端に高圧空気流発生装置３の空気取入口９が設けられ、その空気取入口９を矩形状の箱型のエアフィルタユニット１０で塞ぎ、そのエアフィルタユニット１０の本体背面と本体側面の少なくとも一方の面に空気取入口９からの吸気を濾過するエアフィルタ１１が配置され、それ以外の面が壁で構成されている。このため、エアフィルタ１１をエアフィルタユニット１０の本体背面にのみ配置した場合は、空気の吸込みによる騒音は本体背面側へと放たれ、手乾燥装置１の使用者が立つ正面側に届き難くなることから、使用者の不快感を軽減することができる。
【００２４】
また、本実施の形態１にかかる手乾燥装置によれば、エアフィルタ１１の配置がエアフィルタユニット１０の本体背面と本体側面の少なくとも一方の面として、空気の吸込み方向を水平方向に限定したため、床や洗面台の水滴や埃を吸込むことが無くなり、安全で衛生的な手乾燥装置とすることができる。
【００２５】
さらに、本実施の形態１にかかる手乾燥装置によれば、エアフィルタユニット１０の底面表側が略水平か、背面のエアフィルタ１１ａに向って下方に傾斜した平面形状になっているため、エアフィルタユニット１０内に万一水滴が入った場合でも、エアフィルタユニット１１内に留まり難くすることができる。
【００２６】
また、本実施の形態１にかかる手乾燥装置によれば、エアフィルタ１１をエアフィルタユニット１０の本体背面と本体側面の両方に配置したため、吸込み面積が拡大することから、エアフィルタユニットの高さを小さくして、よりコンパクトにすることができ、本体ケーシング２からの突出量が少なくなることから、一体感のあるスマートな意匠効果が得られる。その上、吸込み面積の拡大により、吸込み風速が抑えられることから、吸込み騒音を一層低減することができる。
【００２７】
また、本実施の形態１にかかる手乾燥装置によれば、エアフィルタ１１をエアフィルタユニット１０の両側面に配置したため、背面側から吸気できない設置状況であっても、手乾燥装置１の使用者が立つ正面側に直接騒音が届き難い側面からの吸気口を確保することができるため、使用者の不快感を軽減することができる。
【００２８】
また、本実施の形態１にかかる手乾燥装置によれば、本体ケーシング２に対して、ドレン容器７とエアフィルタユニット１０とを装置本体の正面側から抜き差しすることができることから、ドレン容器７とエアフィルタユニット１０の清掃作業がし易く、作業者の負担を軽減することができる。
【００２９】
実施の形態２．
図７は、本発明の実施の形態２にかかる手乾燥装置の側面断面図である。図７に示すように、エアフィルタユニット１０以外の構成については、基本的には実施の形態１の図１と同様であるため、同一符号を付して、重複説明を省略する。
【００３０】
図７に示す手乾燥装置１の特徴的な構成は、エアフィルタユニット１０の底面裏側を平面形状とし、底面積を広げた台座部１０ａを備えた点にある。このため、実施の形態２によれば、図７のようにエアフィルタユニット１０の底面裏側に台座部１０ａを設けたことにより、手乾燥装置１を台１２上に置いて設置する場合であっても、エアフィルタユニット１０の台座部１０ａにより、安定して支持することが可能となる。これにより、手乾燥装置１の背面側のベース２ａ等を利用して手乾燥装置１を壁に据付するという工事の手間を省くことができる。
【００３１】
なお、実施の形態２のエアフィルタユニット１０におけるエアフィルタの配置構成についても、実施の形態１で説明した図３〜図５と同様に、エアフィルタ１１ａ，１１ｂを背面あるいは両側面に配置することによって、上記実施の形態１と同様の効果を得ることができる。
【産業上の利用可能性】
【００３２】
以上のように、本発明にかかる手乾燥装置は、様々な場所に設置可能な手乾燥装置に有用であり、特に、台や床面、あるいはそれに近い場所に設置する場合であっても安全で衛生的に設置することのできる手乾燥装置に適している。
【符号の説明】
【００３３】
１  手乾燥装置
２  本体ケーシング
２ａ  ベース
２ｂ  正面パネル
３  高圧空気流発生装置
３ａ  エアーノズル
４  手挿入部
５  水受け部
６  排水口
７  ドレン容器
８  吸気通路
９  空気取入口
１０  エアフィルタユニット
１０ａ  台座部
１１  エアフィルタ
１１ａ，１１ｂ  エアフィルタ
１２  台
【図１】
2010279436.tif 000003
【図２】
2010279436.tif 000004
【図３】
2010279436.tif 000005
【図４】
2010279436.tif 000006
【図５】
2010279436.tif 000007
【図６】
2010279436.tif 000008
【図７】
2010279436.tif 000009